(57)【特許請求の範囲】
【請求項１】
矩形枠状のプレート枠本体に埋込型の配線器具の機能面を露出させる開口部が設けられるとともに該開口部を挟んで対向する前記プレート枠本体の側枠片に前記配線器具を取り付けるための取付手段を具備し造営面に設けられた埋込孔の開口面側を覆うプレート枠と、前記配線器具の機能面を露出させる開口窓を有するとともに前記プレート枠に取着されて該プレート枠の前面を覆う化粧プレートとを備え、この化粧プレートの長手又は短手方向の一方側には一対の切欠部が設けられ、前記プレート枠本体は、前記長手方向の一方側に設けられた一対の切欠部に対応する位置に、これら一対の切欠部に差し込まれた治具を逃がすための逃がし部と、該逃がし部の背面側端から前記化粧プレートの切欠部から突出しないように延設された突起とを有しているとともに、前記短手方向の一方側に設けられた一対の切欠部に対応する位置に、これら一対の切欠部に差し込まれた治具を逃がすための逃がし部と、該逃がし部の背面側端から前記化粧プレートの切欠部から突出しないように延設された突起とを有し、前記化粧プレートは、前記長手及び短手方向の一方側のうち前記一対の切欠部が設けられていない一方側に前記突起が填り込む溝を有していることを特徴とする配線器具用プレート。
【発明の詳細な説明】
【０００１】
【発明の属する技術分野】
本発明は、壁面等の造営面に設けた埋込孔に配線器具を配設するための配線器具用プレートに関するものである。
【０００２】
【従来の技術】
従来、壁面等の造営面に設けた埋込孔に埋込ボックス（スイッチボックス）を埋設し、スイッチやコンセント等の配線器具が着脱自在に取り付けられるプレート枠を埋込孔の前面側から埋込ボックスに取り付け、さらにプレート枠の前面に化粧プレートを取着することで配線器具を壁等に見栄え良く埋込配設するようにした配線器具用プレートが提供されている。
【０００３】
プレート枠は、配線器具が取り付けられる開口部を有する矩形枠状に形成された合成樹脂製のプレート枠本体を備え、開口部の寸法は、図６に示す配線器具Ｃの寸法を基準寸法（以下、この寸法を「１個モジュール寸法」と呼ぶ。）としたときに、この１個モジュール寸法の配線器具Ｃを短幅方向に３個並べて取り付けることのできる寸法（以下、「３個モジュール対応寸法」と呼ぶ。）に設定されている。
【０００４】
そして、上記配線器具用プレートには、プレート枠本体の長手方向を鉛直方向に合わせて設置される縦用のものと、水平方向に合わせて設置される横用のものとが用意されている。
【０００５】
【発明が解決しようとする課題】
従来の配線器具用プレートでは、上記の如く、縦用のものと横用のものとの２種類を用意しなければならないので、コストがかかるという問題があった。
【０００６】
本発明は、上記事情に鑑みてなされたものであり、縦用のものと横用のものとの２種類を用意しなければならないことに起因するコスト高を低減しうる配線器具用プレートを提供することを目的とする。
【０００７】
【課題を解決するための手段】
上記課題を解決するための請求項１記載の発明の配線器具用プレートは、矩形枠状のプレート枠本体に埋込型の配線器具の機能面を露出させる開口部が設けられるとともに該開口部を挟んで対向する前記プレート枠本体の側枠片に前記配線器具を取り付けるための取付手段を具備し造営面に設けられた埋込孔の開口面側を覆うプレート枠と、前記配線器具の機能面を露出させる開口窓を有するとともに前記プレート枠に取着されて該プレート枠の前面を覆う化粧プレートとを備え、この化粧プレートの長手又は短手方向の一方側には一対の切欠部が設けられ、前記プレート枠本体は、前記長手方向の一方側に設けられた一対の切欠部に対応する位置に、これら一対の切欠部に差し込まれた治具を逃がすための逃がし部と、該逃がし部の背面側端から前記化粧プレートの切欠部から突出しないように延設された突起とを有しているとともに、前記短手方向の一方側に設けられた一対の切欠部に対応する位置に、これら一対の切欠部に差し込まれた治具を逃がすための逃がし部と、該逃がし部の背面側端から前記化粧プレートの切欠部から突出しないように延設された突起とを有し、前記化粧プレートは、前記長手及び短手方向の一方側のうち前記一対の切欠部が設けられていない一方側に前記突起が填り込む溝を有していることを特徴とする。
【０００８】
【発明の実施の形態】
図１〜図６を参照して本発明の一実施形態を説明する。本実施形態の配線器具用プレートは、図１〜図３に示すように、縦／横兼用のプレート枠Ａと、縦用の化粧プレートＢｖ又は横用の化粧プレートＢｈとから成る。ここで、縦用の化粧プレートＢｖは、長手方向が鉛直方向となるようにして設置されるものであり、横用の化粧プレートＢｈは、長手方向が水平方向となるようにして設置されるものである。
【０００９】
プレート枠Ａにおいて、プレート枠本体１は、絶縁性を有する合成樹脂（ＡＢＳ樹脂のような熱可塑性樹脂又は弾性を有する熱硬化性樹脂）により各部材が一体に矩形枠状に形成されており、その中央部には図６に示すようなスイッチやコンセント等の配線器具Ｃの器体６０の機能面（スイッチの操作体が設けられた面やコンセントの差込み口が設けられた面）を前面側へ露出させるために矩形の開口部２が設けてある。この開口部２の周縁背面側には、開口部２の長手方向に沿って互いに対向するように固定梁部４並びに可動梁部５が設けてある。可動梁部５は、プレート枠本体１の長手方向に沿った一対の側枠片３ａ，３ｂの一方の側枠片３ｂから離間し、且つ連結部６によりその両端において側枠片３ｂに一体に連結してある。
【００１０】
側枠片３ｂから一体に延設された幅狭の一対のリブ７によって可動梁部５が支持されており、一対のリブ７によって可動梁部５と側枠片３ｂとの間に３つのスリット８ａ〜８ｃが形成されている。これらのうち、両側のスリット８ａ，８ｃは、外側端部が連結部６の方へ屈曲させてある。さらに、側枠片３ｂの各リブ７近傍の部位には、可動梁部５を撓み易くさせるために長孔状の溝９が一対設けてある。
【００１１】
一方、固定梁部４並びに可動梁部５における開口部２側の面には、配線器具Ｃの器体６０の両側面から一対ずつ突設された係止爪６１が係止する係止溝（図１（ａ）では孔４ａ，５ａにそれぞれ連通している）を各々３対ずつ設けてある。従って、配線器具Ｃの器体６０に設けた係止爪６１を各係止溝に係止することにより、器体６０の機能面を開口部２から露出させた状態でプレート枠本体１に配線器具Ｃの器体６０を取着することができる。
【００１２】
さらに、固定梁部４には各係止溝（孔４ａ参照）の間にプレート枠本体１の前面側から貫通する器具外し孔４ｃが穿設してあって、ドライバや取外し専用の治具等の先端部分をこの器具外し孔４ｃに挿入し、治具の先端部分で器体６０を可動梁部５側へ押してやれば、梃子の原理によって僅かな力で可動梁部５を撓ますことができ、固定梁部４側の係止溝と器体６０の係止爪６１との係止を解いて、プレート枠本体１から配線器具Ｃの器体６０を取り外すことができるようになっている。
【００１３】
開口部２の寸法は３個モジュール対応寸法に設定してある。なお、１個モジュール寸法は適当な値に設定すればよく、このようなモジュール寸法に適合した配線器具であれば、共通にプレート枠Ａに取り付けることができるものである。
【００１４】
プレート枠本体１の長手方向に対向する両側片１０には各々凹所１１が形成してある。各凹所１１には、プレート枠Ａを埋込ボックス（図示せず）に取り付けるためのボックスねじを挿通する略長円形のボックスねじ挿通孔１２と、プレート枠Ａを壁面等の造営面に直付けするためのねじが挿通されるねじ挿通孔１３とが設けてある。
【００１５】
プレート枠本体１の四隅には、化粧プレートＢｖ，Ｂｈのプレート本体５０の背面から突設した係止突起（図示せず）を係止する化粧プレート係止孔１５が設けてあり、これらの化粧プレート係止孔１５に化粧プレートＢｖ，Ｂｈの係止突起を挿入係止することで、プレート枠Ａの前面側に化粧プレートＢｖ，Ｂｈを着脱自在に取り付けることができるようになっている。
【００１６】
化粧プレートＢｖ，Ｂｈにおいて、各々のプレート本体５０は、絶縁性を有する合成樹脂（ＡＢＳ樹脂のような熱可塑性樹脂又は弾性を有する熱硬化性樹脂）により、プレート枠Ａの前面を覆う矩形の主部５１と、主部５１の全周縁から背面側に突出する側壁５２とを一体に形成した略箱形としてある。上述の係止突起は主部５１の背面側の四隅に突設してある。主部５１の略中央には、プレート枠Ａに取り付けた配線器具Ｃの機能面を露出する開口窓５１ａが設けてある。ここで、プレート本体５０の対向する側壁５２間の幅寸法がプレート枠本体１の各幅寸法よりも大きくしてある。すなわち、造営面に配設したプレート枠Ａの前面側に化粧プレートＢｖ，Ｂｈを取着したとき、図４，図５に示すように、プレート枠本体１が化粧プレートＢｖ，Ｂｈのプレート本体５０の内側に収まり、プレート本体５０の側壁５２の先端縁が造営面にほぼ当接することになる。その結果、プレート枠Ａと化粧プレートＢｖ，Ｂｈとの突き合わせ面が造営面よりも前方へ出ることがなく、両者の突き合わせの線が側面からはほとんど見えないようにして見栄えを良くすることができる。
【００１７】
プレート枠本体１の両側枠片３ａ，３ｂの側面から背面側に向かうにつれて外側に傾斜するテーパ面３ｃ並びにテーパ面３ｃに連続して外側に張り出した張出部３ｄが形成されており、この張出部３ｄの前面に載置されて化粧プレートＢｖ，Ｂｈのがたつきを防ぐリブ（図示せず）がプレート本体５０の主部５１より長手方向に直交する方向の側壁５２の内側面に沿って突設してある。
【００１８】
また、プレート本体５０の背面側には、プレート枠Ａに取着したときにプレート枠本体１に設けた３つのスリット８ａ〜８ｃにそれぞれ嵌入される突条片（図示せず）が列設してある。ここで、各突条片の寸法は、プレート枠本体１の各スリット８ａ〜８ｃに嵌入された状態で、スリット８ａ〜８ｃの内周面と各突条片との間に僅かな隙間しか生じないような寸法に設定してある。すなわち、配線器具Ｃを取り付けたプレート枠Ａに化粧プレートＢｖ，Ｂｈを取着した状態では、３つの突条片がプレート枠本体１の各スリット８ａ〜８ｃに嵌入され、スリット８ａ〜８ｃの内周面と各突条片との間には僅かな隙間しか生じないことから、プレート枠本体１の可動梁部５の動き（撓み）が規制されることになる。その結果、配線器具Ｃとしてコンセントを使用しているときにコンセントに差し込まれたプラグを異常に大きな力で引き抜く等の衝撃が加えられた場合でも、上記の如く可動梁部５の動きが規制されているために、配線器具Ｃの係止爪６１と可動梁部５及び固定梁部４の係止溝との係止が外れ難くなるものである。
【００１９】
化粧プレートＢｖにおいて、図２に示すように、プレート本体５０の長手方向の一方側（下側）の側壁５２には、一対の切欠部５６ｖが設けてあり、この切欠部５６ｖに治具（ドライバの先端等）を差し込んでプレート本体５０に前面側への力を加えることにより、プレート本体５０の係止突起とプレート枠本体１の化粧プレート係止孔１５との係止を解除し、化粧プレートＢｖをプレート枠Ａから取り外すことができるようにしてある。すなわち、プレート枠本体１は、化粧プレートＢｖの一対の切欠部５６ｖに対応する位置に、テーパ面３ｃよりも内側へ窪んだ逃がし部１６ｖを有しており、切欠部５６ｖに差し込まれた治具を逃がすことで奥まで挿入でき、化粧プレートＢｖを取り外す際に力が加え易くなっている。さらに、逃がし部１６ｖの背面側端部からは突起１７ｖが、化粧プレートＢｖの切欠部５６ｖから突出しない程度まで延設してある。ここに、切欠部５６ｖに差し込んだ治具に造営面に当接する部分を支点として力を加えることで造営面に傷が付く虞があるが、突起１７ｖを設けることで切欠部５６ｖに差し込んだ治具が突起１７ｖに当接することになり、化粧プレートＢｖをプレート枠Ａから取り外す際に治具によって造営面に傷が付くのを防ぐことができる。
【００２０】
同様に、化粧プレートＢｈにおいて、図３に示すように、プレート本体５０の短手方向の一方側（下側）の側壁５２には、一対の切欠部５６ｈが設けてあり、この切欠部５６ｈに治具（ドライバの先端等）を差し込んでプレート本体５０に前面側への力を加えることにより、プレート本体５０の係止突起とプレート枠本体１の化粧プレート係止孔１５との係止を解除し、化粧プレートＢｈをプレート枠Ａから取り外すことができるようにしてある。つまり、プレート枠本体１は、化粧プレートＢｈの一対の切欠部５６ｈに対応する位置にも、テーパ面３ｃよりも内側へ窪んだ逃がし部１６ｈを有しており、切欠部５６ｈに差し込まれた治具を逃がすことで奥まで挿入でき、化粧プレートＢｈを取り外す際に力が加え易くなっている。さらに、逃がし部１６ｈの背面側端部からは張出部３ｄよりも薄肉の突起１７ｈが、化粧プレートＢｈの切欠部５６ｈから突出しない程度まで延設してある。
【００２１】
そして、化粧プレートＢｖにおいて、図２，図４に示すように、プレート本体５０の短手方向の一方側（左側）の側壁５２には、プレート枠本体１の各突起１７ｈが填り込む溝５７ｖが形成されている。一方、化粧プレートＢｈにおいて、図３，図５に示すように、プレート本体５０の長手方向の一方側（右側）の側壁５２には、プレート枠本体１の各突起１７ｖが填り込む溝５７ｈが形成されている。
【００２２】
上記の如く、本実施形態によれば、プレート枠本体１は、化粧プレートＢｖの長手方向の一方側に設けられた一対の切欠部５６ｖに対応する位置に、これら一対の切欠部５６ｖに差し込まれた治具を逃がすための逃がし部１６ｖを有しているとともに、化粧プレートＢｈの短手方向の一方側に設けられた一対の切欠部５６ｈに対応する位置に、これら一対の切欠部５６ｈに差し込まれた治具を逃がすための逃がし部１６ｈを有しているので、プレート枠Ａを２種類の化粧プレートＢｖ，Ｂｈに対して兼用可能となるから、縦用のものと横用のものとの２種類を用意しなければならないことに起因するコスト高を低減することができる。
【００２３】
なお、本実施形態では、プレート枠Ａの略中央に１個モジュール寸法の配線器具Ｃを取り付ける場合に対応して化粧プレートＢｖ，Ｂｈの略中央に配線器具Ｃの機能面を露出する開口窓５１ａが設けてあるが、例えば１個モジュール寸法の配線器具Ｃを開口部２の両端の取付位置に２個離間して取り付ける場合には、２つの開口窓を有する化粧プレートを用い、あるいは１個モジュール寸法の配線器具Ｃを３個並べて取り付ける場合には、３個モジュール寸法に対応した開口窓を有する化粧プレートを用いるようにすればよい。
【００２４】
【発明の効果】
以上のことから明らかなように、請求項１記載の発明によれば、矩形枠状のプレート枠本体に埋込型の配線器具の機能面を露出させる開口部が設けられるとともに該開口部を挟んで対向する前記プレート枠本体の側枠片に前記配線器具を取り付けるための取付手段を具備し造営面に設けられた埋込孔の開口面側を覆うプレート枠と、前記配線器具の機能面を露出させる開口窓を有するとともに前記プレート枠に取着されて該プレート枠の前面を覆う化粧プレートとを備え、この化粧プレートの長手又は短手方向の一方側には一対の切欠部が設けられ、前記プレート枠本体は、前記長手方向の一方側に設けられた一対の切欠部に対応する位置に、これら一対の切欠部に差し込まれた治具を逃がすための逃がし部と、該逃がし部の背面側端から前記化粧プレートの切欠部から突出しないように延設された突起とを有しているとともに、前記短手方向の一方側に設けられた一対の切欠部に対応する位置に、これら一対の切欠部に差し込まれた治具を逃がすための逃がし部と、該逃がし部の背面側端から前記化粧プレートの切欠部から突出しないように延設された突起とを有し、前記化粧プレートは、前記長手及び短手方向の一方側のうち前記一対の切欠部が設けられていない一方側に前記突起が填り込む溝を有しているので、プレート枠本体を２種類の化粧プレートに対して兼用可能となるから、縦用のものと横用のものとの２種類を用意しなければならないことに起因するコスト高を低減することができる。
【図面の簡単な説明】
【図１】（ａ）は本発明に係る一実施形態の配線器具用プレートを構成するプレート枠の前面図、（ｂ）は同プレート枠の左側面図、（ｃ）は同プレート枠の下側面図である。
【図２】（ａ）は本発明に係る一実施形態の配線器具用プレートを構成する縦用の化粧プレートの前面図、（ｂ）は同化粧プレートの左側面図、（ｃ）は同化粧プレートの下側面図、（ｄ）は同化粧プレートの断面図、（ｅ）は（ｄ）の一部拡大図である。
【図３】（ａ）は本発明に係る一実施形態の配線器具用プレートを構成する横用の化粧プレートの前面図、（ｂ）は同化粧プレートの右側面図、（ｃ）は同化粧プレートの下側面図、（ｄ）は同化粧プレートの断面図、（ｅ）は（ｄ）の一部拡大図である。
【図４】（ａ）は縦用の化粧プレートの前面図、（ｂ）は同化粧プレートの左側面図、（ｃ）は同化粧プレートの下側面図、（ｄ）はプレート枠に取着された同化粧プレートの断面図、（ｅ）は（ｄ）の一部拡大図である。
【図５】（ａ）は横用の化粧プレートの前面図、（ｂ）は同化粧プレートの右側面図、（ｃ）は同化粧プレートの下側面図、（ｄ）はプレート枠に取着された同化粧プレートの断面図、（ｅ）は（ｄ）の一部拡大図である。
【図６】１個モジュール寸法の配線器具の斜視図である。
【符号の説明】
Ａ  プレート枠
１  プレート枠本体
１６ｖ，１６ｈ  逃がし部
１７ｖ，１７ｈ  突起
Ｂｖ，Ｂｈ  化粧プレート
５０  プレート本体
５６ｖ，５６ｈ  切欠部
Ｃ  配線器具
【図１】
0003690302.tif 000002
【図２】
0003690302.tif 000003
【図３】
0003690302.tif 000004
【図４】
0003690302.tif 000005
【図５】
0003690302.tif 000006
【図６】
0003690302.tif 000007